(57)【要約】【課題】ＬＣＤの画像表示面と感光フィルムを従来よりも近づけて、より鮮明な画像を得る。【解決手段】画像表示手段の表示画像を感光性記録媒体に転写する転写装置であって、前記画像表示手段は、液晶表示装置であり、液晶を挟む２枚のガラス基板のうち視認側のガラス基板の面積の方が反視認側のガラス基板の面積よりも小さくなっており、前記感光性記録媒体を収納し、前記画像表示手段の画像表示面に対向する前記感光性記録媒体の露光用の開口部を有する感光性記録媒体収納手段の外枠の内側に、前記画像表示手段の視認側のガラス基板を嵌め込むようにしたことを特徴とする転写装置を提供することにより前記課題を解決する。【選択図】図２
2004184733.tif 000002
【特許請求の範囲】
【請求項１】
光源と、透過性の画像表示手段と、感光性記録媒体とを、前記光源の光の進行方向に沿って配置し、前記透過型の画像表示手段から通過した光により前記感光性記録媒体を露光することにより、前記画像表示手段の表示画像を前記感光性記録媒体に転写する転写装置であって、
前記画像表示手段は、液晶表示装置であり、液晶を挟む２枚のガラス基板のうち視認側のガラス基板の面積の方が反視認側のガラス基板の面積よりも小さくなっており、
前記感光性記録媒体を収納し、前記画像表示手段の画像表示面に対向する前記感光性記録媒体の露光用の開口部を有する感光性記録媒体収納手段の外枠の内側に、前記画像表示手段の少なくとも視認側のガラス基板を嵌め込むようにしたことを特徴とする転写装置。
【発明の詳細な説明】
【０００１】
【発明の属する技術分野】
本発明は、デジタルスチルカメラ（ＤＳＣ）、ビデオカメラ、パソコン（パーソナルコンピュータ）等によりデジタル記録された画像を液晶表示デバイス（ＬＣＤ）等の透過型の画像表示手段に表示し、表示された画像を用いて、光により発色するインスタント写真フィルムのような感光性記録媒体に転写（画像形成）する転写装置に関する。
【０００２】
【従来の技術】
従来より、デジタル記録された画像を感光性記録媒体に転写（あるいは印写）もしくは記録する方法として、点状印字ヘッドを有するインクジェット方式、レーザ記録方式、感熱記録方式等の種々の方式が用いられていた。
しかし、インクジェット方式等の印字方式では、印字に時間がかかり、またインクが詰まりやすく、さらに精密な印字を行うと印字した紙がインクによって湿ってしまう等の問題があった。
【０００３】
また、レーザ記録方式では、レンズ等の高価な光学部品が必要であるため、機器のコストが高価となり、また、レーザ記録方式、感熱記録方式では、消費電力が大きく、携帯には不向きであるという問題があった。
このように、これらの方式による転写装置では、一般に、特にインクジェット方式では、精密にすればするほど、駆動機構、制御機構が複雑で、装置も大型・高価なものになり、印刷にも時間がかかるという問題があった。
【０００４】
これに対し、液晶表示装置を用いて、表示画像をインスタントフィルムのような感光性記録媒体に形成することにより構造を簡略化し、コストを低減させた転写装置が知られている（例えば、特許文献１、２、３等参照）。
例えば、図５は、従来の転写装置の一例を示す模式的側断面図である。図５に示すように、この転写装置は、光源としての冷陰極管１１０を有するバックライトユニット１００と、略平行光生成用の多数の貫通孔１２１を有する多孔板１２０と、デジタル記録された画像を表示する液晶ディスプレイデバイス（液晶表示装置、ＬＣＤ）１３０と、取り付け取り外し自在なフィルムケース１５１に複数枚の感光フィルム１４０を収納しているフィルムパック１５０と、これらすべてを内包する本体ケース１６０とから構成される。
【０００５】
また、本体ケース１６０には、フィルムパック１５０（またはフィルムケース１５１）の露光済フィルム取出口１５３に臨む位置に取り付けられた露光済フィルムの送り出し兼処理液展開ローラ対１６１、露光済フィルムの本体ケース１６０からの取出口１６２、及び感光フィルム１４０をＬＣＤ１３０側に付勢するためのバックアップ用押圧ピン１６３が設けられている。
【０００６】
特に、ＬＣＤ１３０及びフィルムケース１５１に感光フィルム１４０を収納したフィルムパック１５０の部分を拡大して図６に示す。
図６に示すように、フィルムケース１５１は、遮光のためのリブ１５２を有しており、これにより感光フィルム１４０は感光してしまうのを防止されるとともに、フィルムケース１５１の外へ出ないように保持される。
【０００７】
また、従来のＬＣＤ１３０においては、画像表示領域の最外周には、液封のためのシーリング部材及び配線等を設置するための領域（配線領域）が４〜５ｍｍ程度必要であった。そのため、図６に示すように、フィルムケース１５１よりもＬＣＤ１３０の方が大きいのが通常であった。
その結果、図６に示すように、ＬＣＤ１３０と感光フィルム１４０とは距離ｄで離間し、非接触状態となっており、これが実際に取り扱い易い装置とするための条件とされていた。
【０００８】
【特許文献１】
特開２００２−１９６４２４号公報
【特許文献２】
特開２００２−１９６４２５号公報
【特許文献３】
特開２００２−１９６４２６号公報
【０００９】
【発明が解決しようとする課題】
しかしながら、前記従来のように、ＬＣＤと感光フィルムとを所定の間隔だけ離間させるようにすることは、鮮明な画像を得るという観点からは、これによって生じる光拡散により画像がぼけるというマイナス要因となるという問題があった。しかし、上述した転写装置では、フィルムケース１５１に設けられた遮光用のリブ１５２が存在すること、及び画像表示領域の周囲に配線等のための領域が一定程度必要であるためＬＣＤ１３０を小サイズ化できないこと等により、ＬＣＤと感光フィルムをある程度（図６に示す距離ｄ）以上は近づけることができなかった。
【００１０】
従来は、これに対してＬＣＤの感光フィルム側のガラス基板等の厚みを薄くするなどの方法で対処することも考えられていたが、この方法では限界があり、より簡単に鮮明な画像を得ることができるように、ＬＣＤの画像表示面と感光フィルムとをもっと近づけることが望まれていた。
【００１１】
本発明は、前記従来の問題に鑑みてなされたものであり、ＬＣＤの画像表示面と感光フィルムを従来よりも近づけて、より鮮明な画像を得ることのできる転写装置を提供することを課題とする。
【００１２】
【課題を解決するための手段】
前記課題を解決するために、本発明は、光源と、透過性の画像表示手段と、感光性記録媒体とを、前記光源の光の進行方向に沿って配置し、前記透過型の画像表示手段から通過した光により前記感光性記録媒体を露光することにより、前記画像表示手段の表示画像を前記感光性記録媒体に転写する転写装置であって、前記画像表示手段は、液晶表示装置であり、液晶を挟む２枚のガラス基板のうち視認側のガラス基板の面積の方が反視認側のガラス基板の面積よりも小さくなっており、前記感光性記録媒体を収納し、前記画像表示手段の画像表示面に対向する前記感光性記録媒体の露光用の開口部を有する感光性記録媒体収納手段の外枠の内側に、前記画像表示手段の少なくとも視認側のガラス基板を嵌め込むようにしたことを特徴とする転写装置を提供する。
【００１３】
【発明の実施の形態】
以下、本発明の転写装置について、添付の図面に示される好適実施形態を基に詳細に説明する。
【００１４】
図１は、本発明に係る転写装置の一実施形態の模式的側断面図である。
図１に示すように、本発明の転写装置は、光源としての冷陰極管１１を有するバックライトユニット１と、略平行光生成用の多数の貫通孔２１を有する多孔板２と、デジタル記録された画像を表示する液晶ディスプレイデバイス（液晶表示装置、ＬＣＤ）３と、取り付け取り外し自在なフィルムケース５１に複数枚の感光フィルム４を収納しているフィルムパック５と、これらすべてを内包する本体ケース６とから構成される。
また、本体ケース６には、フィルムパック５（またはフィルムケース５１）の露光済フィルム取出口５３に臨む位置に取り付けられた露光済フィルムの送り出し兼処理液展開ローラ対６１、露光済フィルムの本体ケース６からの取出口６２、及び感光フィルム４をＬＣＤ３側に付勢するためのバックアップ用押圧ピン６３が設けられている。
【００１５】
ここで、多孔板２と、ＬＣＤ３と、感光フィルム４とは、バックライトユニット１からの光の進行方向に沿って直列に配置され、少なくとも、ＬＣＤ３と感光フィルム４とは非接触状態で配置されることが好ましいが、本願発明にいう所の色純度、解像度という点では、接触（密着）状態でも構わない。ＬＣＤ３を通過した表示画像で感光フィルム４を短時間で露光でき、バックライトユニット１から必要とされる画像鮮鋭度に対して十分な強度の平行光を射出することができれば、多孔板２を配置しなくても良い。
光源となるバックライトユニット１は、ＬＣＤ３の背後からその全面に均一な光を照射するためのもので、ＬＣＤ３の表示画面と略同一の光射出面（発光面）を持つ面状光源であって、棒状ランプである冷陰極管１１と、冷陰極管１１から射出された光を所定方向に導入する導光板（図示せず）、導光板に導入された光を略直交する方向に反射させる反射シート（図示せず）および反射シートで反射された光を均一化する拡散シート（図示せず）やプリズムシート等を有するバックライトアセンブリとからなる。
【００１６】
多孔板２は、必要に応じて、バックライトユニット１とＬＣＤ３との間に配置されて、バックライトユニット１からの光を平行光にし、ＬＣＤ３に入射する光をなるべく平行にするための略平行光生成素子であって、所定厚みの矩形板に所定の形状及びサイズの貫通孔２１を所定ピッチで多数設けたものである。
多孔板２の材質としては、特に制限的ではないが、例えば所定の厚みを有するアルミニウム板等の金属板や樹脂板やカーボン材料板等を用いることができる。
また、多孔板２としては、このようなものに限定はされず、例えば、多数の貫通孔を格子状に形成した格子のようなものでもよいし、あるいは、長手方向に沿って１列（または複数列）に配列された多数の貫通孔を有し、所定厚みを持ち、幅が狭く細長い柱状の多孔板を、バックライトの長手方向に、その移動方向前後を遮光しながら移動させるように構成されたもの等でもよい。
【００１７】
ＬＣＤ３は、デジタル記録された画像を表示するための透過型の画像表示手段であって、デジタルスチルカメラや、デジタルビデオカメラ、パーソナルコンピュータなどのデジタル画像データ供給部に接続され、供給されるデジタル画像データに応じて表示画像を透過像として表示するものである。なお、ＬＣＤ３に接続されているデジタルカメラ等のデジタル画像データ供給部では、予め用意されている画像の内から、任意の画像を選択して供給できるように構成されている。なお、ＬＣＤ３に供給されるデジタル画像データとしては、上述の場合の他、スキャナ等によって透過原稿や反射原稿から読み取られたものであっても良い。また、ＬＣＤ３は、透過像として画像を表示できれば、どのようなものでも良く、デジタル画像データではなくても、通常のビデオカメラで撮影された画像のアナログ画像データに基いて画像を表示するものであっても良い。
【００１８】
なお、本実形態のＬＣＤ３は、液晶を挟む２枚のガラス基板のうち、視認側のガラス基板の面積の方が反視認側のガラス基板の面積よりも小さく形成されており、配線等のための領域は反視認側のガラス基板に形成され、視認側のガラス基板は小サイズ化されている。その結果、フィルムケース５１の外枠の内部にＬＣＤ３の視認側のガラス基板を嵌め込むことが可能であるが、これについては後で詳述する。
【００１９】
感光フィルム４（感光性記録媒体）は、その感光面が、所定の間隙（好ましくは０．０１ｍｍ〜３ｍｍ）を隔てて、ＬＣＤ３の表示画面に配置されるように構成され、複数枚の感光フィルム４が、フィルムケース５１（感光性記録媒体収納手段）に収納されている。フィルムケース５１は、本体ケース６内に取り付けられ、１セット（パック）の複数枚の感光フィルム４を装填するものであっても、取り付け取り外し自在なフィルムケース５１に複数枚の感光フィルム４を収納しているフィルムパック５をそのまま本体ケース６に装填するものであっても良いが、フィルムケース５１ごとフィルムパック５、すなわち、複数枚の感光フィルム４を収納しているフィルムケース５１自体を装填できるように構成しておくのが好ましい。感光フィルム４は、感光性記録媒体として用いられるものであり、感光性記録媒体としては、ＬＣＤ３の透過表示画像の露光焼付により、可視ポジ画像を形成できるもので、例えば、モノシートタイプのインスタント写真用フィルム「インスタックスミニ」や「インスタックス」（共に、富士写真フイルム（株）製、「チェキ」用フィルム）が好適に例示される。
【００２０】
フィルムパック５には、そのフィルムケース５１の一端部に感光フィルム４を、フィルムパック５（のフィルムケース５１）から取り出すためのクロー部材（爪）が進入可能な切り欠き（図示せず）が設けられており、露光の終了した感光フィルム４は、上記クロー部材によりフィルムパック５のフィルムケース５１の取出口５３から取り出され、露光済フィルムの送り出し兼処理液展開ローラ対６１によって、本体ケース６に設けられた取出口６２から装置外部に送り出される。このとき、露光済フィルムの送り出し兼処理液展開ローラ対６１は、上記感光フィルム４の一端に予め設けられている処理液（現像液）チューブ（図示せず）を押し破って、現像液を感光フィルム４内全面に均一に行きわたらせる処理工程を行う。
【００２１】
周知のように、この種のインスタント写真用フィルムは、上述の処理工程を経た後、数十秒ほどで完全な画像を形成し、観賞に供することが可能になる。
なお、図示しないが、本発明の転写装置は、前記ローラ対６１を駆動するための駆動源（モータ）や、これを駆動したり、バックライトユニット１の冷陰極管１１を点灯するための電源や、これらを制御するための電装品や、ＬＣＤ３に画像を表示させるためにデジタル画像データ供給部からデジタル画像データを受信し、ＬＣＤ表示用画像データに変換するデータ処理装置、制御装置などを有している。
【００２２】
本実施形態の転写装置は、基本的に以上のように構成されているが、本発明は、視認側のガラス基板の面積を反視認側のガラス基板の面積よりも小さく形成し、視認側のガラス基板のサイズが小さなＬＣＤを用いて、フィルムケースの外枠の内側にＬＣＤの視認側のガラス基板を嵌め込むことにより、ＬＣＤの画像表示面と感光フィルムとの距離を従来よりも近づけるようにしたものである。
以下、これについて説明する。
【００２３】
図２は、フィルムパック５及びＬＣＤ３の部分を拡大して示したものである。なお、図２ではバックアップ用押圧ピン６３は省略されている。
図２に示すように、ＬＣＤ３は、視認側のガラス基板３１、反視認側のガラス基板３２及びその間に液晶３３を挟んで構成されており、視認側のガラス基板３１の面積の方が反視認側のガラス基板３２の面積より小さくなっている。そしてこのサイズの小さな視認側のガラス基板３１がフィルムケース５１の外枠５１ａ内に嵌め込まれている。
【００２４】
なお、図示を省略しているが、ＬＣＤ３は、この他に偏光フィルム、透明電極等を有して構成されているのはもちろんである。また、各ガラス基板３１、３２の厚みは、例えば０．７〜０．５ｍｍぐらいである。
フィルムケース５１の外枠５１ａの内側には、感光フィルム４を保持し、感光フィルム４が感光しないように遮光するためのリブ５２が設けられており、リブ５２の内側はＬＣＤ３の画像表示面に対向する感光フィルム４の露光用の開口部５４となっている。
【００２５】
従って、本実施形態では、最大視認側のガラス基板３１がリブ５２に突き当たるまでＬＣＤ３をフィルムケース５１の外枠５１ａ内に嵌め込むことができ、ＬＣＤ３の画像表示面と感光フィルム４との距離をリブ５２の厚み分ｄ０  まで近づけることができる。
具体的には、図２あるいは次の図３に符号３１で示す視認側のガラス基板０．５ｍｍ、偏光フィルム０．２ｍｍ、計０．７ｍｍの厚みの場合、チェキフィルムケースを使用した場合では、図６に示す距離ｄが２．８ｍｍであるのに対して、図２の距離ｄ０  は２．１ｍｍまで近づけられる。
【００２６】
上述したＬＣＤ３の概略を図３に斜視図で示す。
図３に示すように、ＬＣＤ３は、図で上にある視認側のガラス基板３１の面積の方が下側の反視認側のガラス基板３２の面積より小さく形成されている。そして、フレキシブル配線３４のように、配線等の各種のデバイス類はすべて下側の反視認側のガラス基板３２に設けられている。
【００２７】
本実施形態では、このように視認側のガラス基板の面積が反視認側のガラス基板の面積よりも小さいＬＣＤを用いることにより、感光フィルム及び感光フィルムを収納するフィルムケースのサイズが固定されている場合であっても、ＬＣＤの画像表示面を感光フィルムにより近づけることが可能となり、ぼけのない鮮明な画像を得ることができる。
【００２８】
また、図４に示すように、ＬＣＤ３の反視認側のガラス基板３２がフィルムケース５１の外枠５１ａの内側に設定され、さらに、視認側のガラス基板３１がリブ５２の内側に設定されている場合には、ＬＣＤ３と感光フィルム４を、前述した図２の場合よりも、接近させることができる。
この場合は、チェキフィルムパックを使用し、ガラス基板と偏光フィルムを合わせた厚み計が０．７ｍｍとすると、図４における距離ｄ１  は、０．８ｍｍまで接近できる。
【００２９】
以上、本発明の転写装置について、詳細に説明したが、本発明は、以上の実施形態に限定されるものではなく、本発明の要旨を逸脱しない範囲において、各種の改良や変更を行ってもよいのはもちろんである。
【００３０】
【発明の効果】
以上、説明した通り、本発明によれば、ＬＣＤの画像表示面と感光フィルムとを従来よりも近づけることができ、その結果鮮明な画像を得ることが可能となる。このことは、平行光を創生する多孔板のコリメート度を小さくすることもできる。すなわち、アスペクト比（厚み／穴径）を小さく（例えば、１２→８→６）とすることができ、多孔板を容易に製作でき、安価にできる。また、多孔板を出射する光量を多くでき、省電力にも役立つ。
【図面の簡単な説明】
【図１】本発明に係る転写装置の一実施形態の模式的側断面図である。
【図２】図１の転写装置のＬＣＤとフィルムパックの部分を拡大して示す拡大断面図である。
【図３】本実施形態のＬＣＤを示す平面図である。
【図４】本実施形態のＬＣＤとフィルムパックの他の例を示す拡大断面図である。
【図５】従来の転写装置の概略を示す模式的側断面図である。
【図６】図５の転写装置のＬＣＤとフィルムパックの部分を拡大して示す拡大断面図である。
【符号の説明】
１    バックライトユニット（光源）
１１  冷陰極管
２    多孔板
２１  多孔板の貫通孔
３    ＬＣＤ
３１  視認側のガラス基板
３２  反視認側のガラス基板
３３  液晶
３４  フレキシブル配線
４    感光フィルム
５    フィルムパック
５１  フィルムケース
５１ａ  外枠
５２  リブ
５３  露光済みフィルムの取出口
５４  露光用の開口部
６    本体ケース
６１  露光済みフィルムの送り出し兼処理液展開ローラ対
６２  露光済みフィルム取出口
６３  バックアップ用押圧ピン
【図１】
2004184733.tif 000003
【図２】
2004184733.tif 000004
【図３】
2004184733.tif 000005
【図４】
2004184733.tif 000006
【図５】
2004184733.tif 000007
【図６】
2004184733.tif 000008